(57)【特許請求の範囲】
【請求項１】
所定の軸線とは平行な結合方向に結合された第１の部材および第２の部材と、
上記第１の部材および上記第２の部材間に密封空間を区画する環状シール（２３）と、
上記環状シール（２３）の径方向外方で上記第１の部材および上記第２の部材を締結する締結部材とを備え、上記第１の部材および第２の部材を上記軸線を中心に相対的に回転させることにより、上記第１の部材および第２の部材の結合角度を変えて固定できる角度固定装置であって、
上記第１の部材は、上記密封空間の一方片側を区画する凹部の周囲を囲むように形成され、上記第２の部材と組み合わされる第１の対向端面を備え、
上記第２の部材は、上記密封空間の他方片側を区画する凹部の周囲を囲むように形成され、上記第１の部材と組み合わされる第２の対向端面を備え、
上記第１の対向端面には、環状の第３嵌合突起（６５）と、その外周を囲むように隣設された環状の嵌合溝（６６）と、嵌合溝（６６）内に形成された第１の環状歯列（２７）と、嵌合溝（６６）の外周を囲むように隣設された環状の第１の嵌合突起（５４）と、第１の嵌合突起（５４）の外周を囲むように隣設された当接面（５８）とが、上記密封空間の周囲を囲むように内方から外方へ向けて設けられており、
上記第２の対向端面には、上記嵌合溝（６６）と嵌合する環状の第２の嵌合突起（６１）と、第２の嵌合突起（６１）の突出面に形成され、上記第１の環状歯列（２７）と噛合する第２の環状歯列（２８）と、第２の嵌合突起（６１）の外周を囲むように隣設された環状のシール収容溝（５０）と、シール収容溝（５０）の外周を囲むように隣設され、上記第１の対向端面の当接面（５８）と当接する当接面（５９）とが、上記密封空間の周囲を囲むように内方から外方へ向けて設けられており、
上記環状シール（２３）は、上記シール収容溝（５０）内に収容され、上記シール収容溝（５０）に嵌合する上記第１の嵌合突起（５４）により加圧されている、角度固定装置。
【請求項２】
上記第１の部材および第２の部材の結合角度を変えるために、上記軸線方向に沿って第１の部材と第２の部材とを離反方向に移動させる際に必要な移動距離Ｌ５は、
上記第１の環状歯列（２７）と第２の環状歯列（２８）の噛合を解除するために必要な距離Ｌ４よりも長く、かつ、上記第１の対向端面に設けられた嵌合溝（６６）および第１の嵌合突起（５４）と、上記第２の対向端面に設けられた第２の嵌合突起（６１）およびシール収容溝（５０）との上記軸線方向にみた嵌合長よりも短くされている、請求の範囲第１項に記載の角度固定装置。
【請求項３】
請求の範囲第１項または第２項に記載の角度固定装置を用いて信号表示灯の取付角度を固定可能な信号表示灯ユニットであって、
上記第１の部材および上記第２の部材の一方が、取付対象に固定されるベースを含み、上記第１の部材および上記第２の部材の他方が、上記信号表示灯の端部を嵌合する嵌合筒を含む、信号表示灯ユニット。
【請求項４】
上記嵌合筒の底部に、上記信号表示灯を取り付ける取付ボルトが係止され、
上記第１の部材および上記第２の部材の上記一方は、上記取付ボルトの抜け方向に対向し、上記取付ボルトの抜けを防止する抜け止め部を含む、請求の範囲第３項に記載の信号表示灯ユニット。
【請求項５】
上記ベースに、当該ベースを上記取付対象に固定する固定部材を挿通させるための挿通孔が設けられ、
上記取付角度が所定の範囲内にあるときに、上記挿通孔の軸線の延長線が、上記第１の部材および上記第２の部材と干渉しないようにされている、請求の範囲第３項に記載の信号表示灯ユニット。
【請求項６】
請求の範囲第１項または第２項に記載の角度固定装置を用いて照明装置の取付角度を固定可能な照明装置ユニットであって、
上記第１の部材および上記第２の部材の何れか一方が、上記照明装置の本体であり、
上記第１の部材および上記第２の部材の他方が、取付対象に固定されるベースを含む、照明装置ユニット。
【発明の詳細な説明】
【技術分野】
【０００１】
本発明は、例えば、信号表示灯、照明装置等の取付角度を調整可能に固定する角度固定装置に関する。また、本発明は、上述の角度固定装置を含む信号表示灯ユニットおよび照明装置ユニットに関する。
【背景技術】
【０００２】
信号表示灯は、例えば、自動機械、生産ライン、駐車場、危険な場所などに設置されており、材料の不足、ワークの詰まり、満車、危険等の各種の状態を光源からの光により信号報知する。信号表示灯ユニットは、上述の信号表示灯と、この信号表示灯を取付対象、例えば、自動機械に取り付けるための上述の角度固定装置とを有している。
特許文献１の角度固定装置は、自動機械等に固定される第１の部材と、信号表示灯が固定される第２の部材とを有している。第１の部材および第２の部材間は、封止されている。第１の部材および第２の部材により、信号表示灯用の配線を通すための密封空間が区画されている。【０００３】
第１および第２の部材は、所定の軸線の回りに相対回転可能とされている。すなわち、相対回転角度が調整された第１および第２の部材が、互いに結合される。第１の部材の第１の環状歯列と、第２の部材の第２の環状歯列とが、上述の所定の軸線を中心とする環状に配列され、且つ上記所定の軸線を中心とする所要の相対回転位置で互いに噛合可能とされている。特許文献１では、第１の環状歯列および第２の環状歯列は、密封空間外に露出して配置されている。
【先行技術文献】
【特許文献】
【０００４】
【特許文献１】独国実用新案第ＤＥ２０２００８００４１１３Ｕ１号明細書
【発明の概要】
【発明が解決しようとする課題】
【０００５】
特許文献１では、第１および第２の環状歯列は、外部に露出しているので、使用時に劣化し、破損し易く、角度固定装置の耐久性が低い。
特に、外部に露出している第１および第２の環状歯列が、合成樹脂により形成されている場合には、その合成樹脂が、外部の紫外線、油等の影響を受け易いので、第１および第２の環状歯列の耐久性、ひいては角度固定装置の耐久性が一層低くなる。【０００６】
また、同様の課題は、照明装置ユニットにおいても存在する。
【課題を解決するための手段】
【０００７】
本発明の目的は、耐久性が高い角度固定装置、信号表示灯ユニットおよび照明装置ユニットを提供することである。
上記目的を達成するため、本発明の一態様は、所定の軸線とは平行な結合方向に結合された第１の部材および第２の部材と、上記第１の部材および上記第２の部材間に密封空間を区画する環状シール（２３）と、上記環状シール（２３）の径方向外方で上記第１の部材および上記第２の部材を締結する締結部材とを備え、上記第１の部材および第２の部材を上記軸線を中心に相対的に回転させることにより、上記第１の部材および第２の部材の結合角度を変えて固定できる角度固定装置であって、上記第１の部材は、上記密封空間の一方片側を区画する凹部の周囲を囲むように形成され、上記第２の部材と組み合わされる第１の対向端面を備え、上記第２の部材は、上記密封空間の他方片側を区画する凹部の周囲を囲むように形成され、上記第１の部材と組み合わされる第２の対向端面を備え、上記第１の対向端面には、環状の第３嵌合突起（６５）と、その外周を囲むように隣設された環状の嵌合溝（６６）と、嵌合溝（６６）内に形成された第１の環状歯列（２７）と、嵌合溝（６６）の外周を囲むように隣設された環状の第１の嵌合突起（５４）と、第１の嵌合突起（５４）の外周を囲むように隣設された当接面（５８）とが、上記密封空間の周囲を囲むように内方から外方へ向けて設けられており、上記第２の対向端面には、上記嵌合溝（６６）と嵌合する環状の第２の嵌合突起（６１）と、第２の嵌合突起（６１）の突出面に形成され、上記第１の環状歯列（２７）と噛合する第２の環状歯列（２８）と、第２の嵌合突起（６１）の外周を囲むように隣設された環状のシール収容溝（５０）と、シール収容溝（５０）の外周を囲むように隣設され、上記第１の対向端面の当接面（５８）と当接する当接面（５９）とが、上記密封空間の周囲を囲むように内方から外方へ向けて設けられており、上記環状シール（２３）は、上記シール収容溝（５０）内に収容され、上記シール収容溝（５０）に嵌合する上記第１の嵌合突起（５４）により加圧されている、角度固定装置である。
【０００８】
本態様によれば、第１および第２の環状歯列が密封空間内に保護されるので、使用時に両環状歯列の劣化、破損を防止することができる。その結果、角度固定装置の耐久性を向上できる。また、特に第１および第２の環状歯列が合成樹脂により形成された場合でも、外部の紫外線等の影響による上記合成樹脂の劣化が防止されるので、角度固定装置として十分な耐久性を確保できる。【０００９】
また、上記第２の部材（２２；２２Ａ）に、上記環状シール（２３）を収容する環状のシール収容溝（５０）が形成されている場合には、下記点で好ましい。すなわち、環状シールの密封性、耐久性が向上するので、長期にわたって第１および第２の部材の間を確実に封止できる。その結果、角度固定装置の耐久性をより一層向上することができる。
また、上記第１の部材（２１；２１Ａ）は、上記シール収容溝（５０）の入口（５０１）に嵌合する環状の第１の嵌合突起（５４）を含む場合には、下記点で好ましい。すなわち、第１および第２の部材の間をより一層確実に封止できる。また、シール収容溝および第１の嵌合突起の嵌合部によって、第１および第２の部材の一方から他方への径方向荷重（例えば、第１および第２の部材の一方に取り付けられる信号表示灯の重量。）を受けることができるので、第１および第２の環状歯列にかかる荷重を軽減できる。従って、角度固定装置の耐久性をより一層向上することができる。【００１０】
また、上記第２の部材（２２；２２Ａ）は、上記第１の嵌合突起（５４）の内周（５６）に嵌合する環状の第２の嵌合突起（６１）を含み、上記第２の嵌合突起（６１）の外周（６２）によって、上記シール収容溝（５０）の一部（５２）が区画されている場合には、下記の点で好ましい。すなわち、第１および第２の部材の間を、より一層確実に封止できる。また、シール収容溝および第１の嵌合突起の嵌合部、並びに第１の嵌合突起および第２の嵌合突起の嵌合部によって、上記径方向荷重を受けることができるので、角度固定装置全体としてより一層大きな径方向荷重を受けることができる。【００１１】
また、上記第２の嵌合突起（６１）に、上記第２の環状歯列（２８）が形成されている場合には、下記の点で好ましい。すなわち、角度固定装置を小型化できる。また、所定の軸線の周りに過大なトルクが作用したときに、径方向外方への第２の環状歯列の変形が第１の嵌合突起により抑制される。その結果、第２の環状歯列の破損を防止できる。
また、上記第１の部材（２１；２１Ａ）は、上記第２の嵌合突起（６１）の内周（６３）に嵌合する環状の第３の嵌合突起（６５）を含み、上記第１の嵌合突起（５４）と上記第３の嵌合突起（６５）との間に、上記第２の嵌合突起（６１）と嵌合する環状の嵌合溝（６６）が区画されている場合には、下記の点で好ましい。すなわち、より一層大きな径方向荷重を受けることができる。また、所定の軸線の周りに過大なトルクが作用したときに、径方向内方への第２の環状歯列の変形が第３の嵌合突起により抑制される。その結果、第２の環状歯列の破損を防止できる。【００１２】
上記の角度固定装置（４）を用いて信号表示灯（２）の取付角度（Ａ０）を固定可能な信号表示灯ユニット（１）では、以下のようにするのが好ましい。すなわち、上記第１の部材（２１）および上記第２の部材（２２）の一方（２１）が、取付対象（３）に固定されるベース（３４）を含んでいる。上記第１の部材（２１）および上記第２の部材（２２）の他方（２２）が、上記信号表示灯（２）の端部（２０１）を嵌合する嵌合筒（４４）を含んでいる。この場合には、位置調整可能で高い耐久性を有する信号表示灯ユニットを実現できる。また、ベースおよび嵌合筒を用いることで、信号表示灯を取付対象に容易に取り付けることができる。【００１３】
このような信号表示灯ユニットは、以下の構成を有することが好ましい。すなわち、上記嵌合筒（４４）の底部（４４１）に、上記信号表示灯（２）を取り付ける取付ボルト（６８）が係止されている。上記第１の部材（２１）および上記第２の部材（２２）の上記一方（２１）は、上記取付ボルト（６８）の抜け方向（Ｄ２）に対向し、上記取付ボルト（６８）の抜けを防止する抜け止め部（６９）を含む。上述の構成を有する場合には、取付ボルトの脱落を防止できるので、嵌合筒からの信号表示灯の脱落を防止できる。【００１４】
また、上述の信号表示灯ユニットは、以下の構成を有することが好ましい。すなわち、上記ベース（３４）に、当該ベース（３４）を上記取付対象（３）に固定する固定部材（３６）を挿通させるための挿通孔（３７）が設けられている。上記取付角度（Ａ０）が所定の範囲（Ａ２）内にあるときに、上記挿通孔（３７）の軸線（Ｃ３）の延長線（Ｃ４）が、上記第１の部材（２１）および上記第２の部材（２２）と干渉しないようにされている。この場合には、第１および第２の部材を互いに組み付けた状態で、ベースを取付対象に取り付けることができる。【００１５】
上記の角度固定装置（４Ａ）を用いて照明装置（１０１）の取付角度（Ａ１０）を固定可能な照明装置ユニット（１００）では、以下のようにするのが好ましい。すなわち、上記第１の部材（２１Ａ）および上記第２の部材（２２Ａ）の何れか一方（２２Ａ）が、上記照明装置（１０１）の本体（１０２）である。上記第１の部材（２１Ａ）および上記第２の部材（２２Ａ）の他方（２１Ａ）が、取付対象（３）に固定されるベース（３４）を含んでいる。この場合、位置調整可能で高い耐久性の照明装置ユニットを実現できる。また、第１の部材および上記第２の部材の何れか一方が、上記照明装置の本体であるので、照明装置ユニットの構造を簡素化できる。【００１６】
なお、上記括弧内の英数字は、後述の実施形態における対応構成要素の参照符号を示すものであるが、これらの参照符号により請求の範囲を限定する趣旨ではない。
【図面の簡単な説明】
【００１７】
【図１】図１（ａ）は、本発明の一実施形態の角度固定装置を含む信号表示灯ユニットの概略構成の模式図であり、図１（ｂ）は、図１（ａ）の角度固定装置による信号表示灯の取付角度の調整範囲を示す模式図である。
【図２】図１（ａ）のII−II断面の断面図である。
【図３】図１（ａ）の角度固定装置の分解斜視図である。
【図４】角度固定装置の側面図である。
【図５】図５（ａ）は、第１の部材の側面図であり、図５（ｂ）は、第１の部材の正面図であり、図５（ｃ）は、図５（ａ）のVc-Vc 断面の断面図である。
【図６】図６（ａ）は、第２の部材の正面図であり、図６（ｂ）は、第２の部材の側面図であり、図６（ｃ）は、図６（ｂ）のVIc-VIc 断面の断面図であり、図６（ｄ）は、図６（ｃ）のシール収容溝の拡大図である。
【図７】図２のVII 部分の拡大図である。
【図８】図８（ａ）は、取付ボルトの抜けが生じていない正常状態における取付ボルト等の部分的な断面図であり、図８（ｂ）は、取付ボルトの抜けが阻止された状態における取付ボルト等の部分的な断面図である。
【図９】図９（ａ）は、信号表示灯ユニットの取付に際しての第１の工程での第２の部材、信号表示灯等の正面図であり、図９（ｂ）は、取付の第２の工程での第１の部材、第２の部材、環状シール等の正面図であり、図９（ｃ）は、取付の第３の工程での角度固定装置等の正面図である。
【図１０】角度固定装置の平面図である。
【図１１】角度調整可能な状態での角度固定装置の正面図である。
【図１２】角度調整可能な状態での角度固定装置の環状シール、第１の環状歯列、第２の環状歯列等の断面図である。
【図１３】図１３（ａ）は、照明装置ユニットの側面図であり、図１３（ｂ）は、照明装置ユニットの正面図である。
【図１４】照明装置ユニットの部分的な分解斜視図である。
【図１５】信号表示灯のポールの断面図である。
【発明を実施するための形態】
【００１８】
以下では、この発明の実施の形態を、添付図面を参照して詳細に説明する。
図１（ａ）は、本発明の一実施形態の角度固定装置を含む信号表示灯ユニットの概略構成の模式図であり、図１（ｂ）は、図１（ａ）の角度固定装置による信号表示灯の取付角度の調整範囲を示す模式図である。図２は、図１（ａ）のII−II断面の断面図である。図１（ａ）を参照して、信号表示灯ユニット１は、被取付機器としての信号表示灯２と、この信号表示灯２を取付対象としての機械本体３に角度調整可能に取り付ける角度固定装置４とを有している。信号表示灯２は、種々の情報を示す光信号を周囲に発する。
【００１９】
本実施形態では、信号表示灯ユニット１に則して角度固定装置４を説明する。また、角度固定装置４を機械本体３の取付面としての上面に取り付ける場合に則して説明するが、角度固定装置４を機械本体３の側面に取り付けることも可能である。また、取付対象は、建物の内壁であってもよい。
図１（ａ）と図２を参照して、本実施形態では、信号表示灯ユニット１は、角度固定装置４を用いて信号表示灯２の取付角度Ａ０を固定可能である。後述するように、角度固定装置４は、機械本体３に固定された第１の部材２１と、信号表示灯２が固定された第２の部材２２とを有している。第１の部材２１と第２の部材２２とが、所定の軸線Ｃ１に沿う方向にボルト２５により締結されている。締結を解除したときに、第１の部材２１と第２の部材２２とを所定の軸線Ｃ１の周りに相対回転でき、これにより、信号表示灯２の取付角度Ａ０を所定の軸線Ｃ１の周りに調整することができる。また、締結状態で、信号表示灯２の取付角度Ａ０を固定することができる。
【００２０】
図１（ａ）と図１（ｂ）を参照して、取付角度Ａ０は、例えば、取付対象の取付面に対する平行面Ｈ１と、信号表示灯２の中心軸線Ｃ２とのなす角度である。取付角度Ａ０は、角度範囲Ａ１のなかで段階的に設定される。なお、図１（ａ）には、取付角度Ａ０が９０度の場合を図示した。また、図１（ｂ）には、信号表示灯２の中心軸線Ｃ２を、取付角度Ａ０が１８０度の場合と、取付角度Ａ０が０度の場合とについて図示した。
【００２１】
信号表示灯２は、一方向に長い棒形状をなしている。信号表示灯２は、信号表示灯本体１０と、この信号表示灯本体１０を支持するポール１１とを有している。
信号表示灯２は、電線１２によって外部の制御部１３に電気的に接続されている。制御部１３は、例えば、機械本体３の内部に配置されている。制御部１３は、信号表示灯２へ給電する。また、制御部１３は、電気信号を信号表示灯２に送ることにより、信号表示灯２の発光を制御する。例えば、信号表示灯２を点灯させたり、消灯させたり、また、光を点滅させたりすることができる。
【００２２】
信号表示灯本体１０は、複数の光源１４と、各光源１４と電気的に接続された回路基板１５とを収容している。信号表示灯本体１０の少なくとも一部は、透光性を有している。なお、光源１４は、少なくとも一つがあればよい。回路基板１５は、電線１２を介して外部の制御部１３と電気的に接続されている。電線１２は、ポール１１の内部、角度固定装置４の内部、および機械本体３の内部を通されている。
【００２３】
ポール１１は、円筒形状をなしている。ポール１１の軸方向に関してのポール１１の一端が、信号表示灯本体１０の端部に連結されている。ポール１１の軸方向に関してのポール１１の他端が、角度固定装置４に連結されている。
図３は、図１（ａ）の角度固定装置４の分解斜視図である。図２と図３を参照して、角度固定装置４は、結合方向Ｄ１に互いに結合された第１の部材２１および第２の部材２２を有している。上述の結合方向Ｄ１は、所定の軸線Ｃ１とは平行な方向である。
【００２４】
また、角度固定装置４は、環状シール２３を有している。環状シール２３は、第１の部材２１および第２の部材２２間に介在しており、第１の部材２１および第２の部材２２間に第１の密封空間２４を区画している。
図４は、角度固定装置４の側面図である。図３と図４を参照して、角度固定装置４は、第１の部材２１と第２の部材２２とを互いに締結する締結部材としての複数のボルト２５を有している。複数のボルト２５は、環状シール２３の径方向外方に配置されている。
【００２５】
第１の部材２１は、合成樹脂材料により形成されている。第２の部材２２は、合成樹脂材料により形成されている。第１の部材２１と、第２の部材２２とは、互いに同じ材料により形成されている。なお、第１の部材２１と、第２の部材２２とは、互いに異なる材料により形成されてもよい。また、第１の部材２１および第２の部材２２の少なくとも一方が、金属により形成されてもよい。本実施形態では、第１の部材２１と第２の部材２２とが、互いに同じ合成樹脂材料により形成された場合に則して説明する。
【００２６】
第１の部材２１は、第１の環状歯列２７を含んでいる。第２の部材２２は、第１の環状歯列２７と噛み合う第２の環状歯列２８を含んでいる。第１の環状歯列２７および第２の環状歯列２８は、所定の軸線Ｃ１を中心とする環状に配列され、且つ所定の軸線Ｃ１を中心とする所要の相対回転位置で噛合可能である。
具体的には、第１の環状歯列２７は、複数の歯２７１を有している。複数の歯２７１は、第１の環状歯列２７の周方向に互いに離隔して、この周方向に均等に並んでいる。この周方向に隣接する２つの歯２７１の間に、歯溝が形成されている。この歯溝と、歯２７１とは、第１の環状歯列２７の周方向に関して等しい寸法で形成されている。
【００２７】
第２の環状歯列２８は、複数の歯２８１を有している。複数の歯２８１は、第２の環状歯列２８の周方向に互いに離隔して、この周方向に均等に並んでいる。この周方向に隣接する２つの歯２８１の間に、歯溝が形成されている。この歯溝と、歯２８１とは、第２の環状歯列２８の周方向に関して等しい寸法で形成されている。
第１の環状歯列２７の径方向に関する第１の環状歯列２７の少なくとも一部と、第２の環状歯列２８の径方向に関する第２の環状歯列２８の少なくとも一部とは、互いに同じ径方向位置に配置されている。第１の環状歯列２７の歯数と、第２の環状歯列２８の歯数とは、互いに等しい。第１の環状歯列２７の歯２７１と、第２の環状歯列２８の歯溝とが、結合方向Ｄ１に互いに対向したときに、第１の環状歯列２７および第２の環状歯列２８が互いに噛み合うことができる。
【００２８】
本実施形態では、第１の環状歯列２７および第２の環状歯列２８は、第１の密封空間２４内に配置されている。これにより、第１の環状歯列２７および第２の環状歯列２８が第１の密封空間２４内に保護されるので、使用時に両環状歯列２７，２８の劣化、破損を防止することができる。その結果、角度固定装置４の耐久性を向上できる。また、特に第１の環状歯列２７および第２の環状歯列２８が合成樹脂により形成された場合でも、外部の紫外線等の影響による合成樹脂の劣化が防止されるので、角度固定装置４として十分な耐久性を確保できる。
【００２９】
このように第１の環状歯列２７および第２の環状歯列２８の保護を、第１の部材２１、第２の部材２２および環状シール２３により達成できるので、これらの他に保護用の部材を別途追加せずに済む。その結果、角度固定装置４を安価にすることができる。
また、第１の環状歯列２７および第２の環状歯列２８を外部の紫外線から保護できるので、紫外線等の影響下で使用したときでも高い耐久性を有する高価な材料を用いずに済む。従って、角度固定装置４を安価にすることができる。
【００３０】
図５（ａ）は、第１の部材２１の側面図であり、図５（ｂ）は、第１の部材２１の正面図であり、図５（ｃ）は、図５（ａ）のVc-Vc 断面の断面図である。図５（ａ）と図５（ｂ）を参照して、第１の部材２１は、主体部３１を有している。主体部３１は、有底の筒形状をなしており、第１の密封空間２４の一部を区画している。主体部３１は、外周壁３２と、この外周壁３２により取り囲まれた端壁３３とを有している。外周壁３２は、所定の軸線Ｃ１を中心とした円筒形状の一部をなしている。
【００３１】
図５（ａ）と図５（ｃ）を参照して、所定の軸線Ｃ１が延びる方向（以下、所定の軸線Ｃ１の軸方向ともいう。）に関する主体部３１の一端は、端壁３３により塞がれている。所定の軸線Ｃ１の軸方向に関する主体部３１の他端に、第１の環状歯列２７が形成されている。
図２と図５（ａ）を参照して、第１の部材２１は、取付対象に固定されるベース３４を含んでいる。ベース３４は、第２の密封空間としての通路３５を区画している。第２の密封空間としての通路３５は、第１の密封空間２４と連通している。主体部３１とベース３４とは、単一材料としての合成樹脂材料により一体に形成されている。主体部３１と第１の環状歯列２７とは、単一材料としての合成樹脂材料により一体に形成されている。
【００３２】
図２と図５（ｃ）を参照して、ベース３４は、固定部材としての固定ボルト３６により取付対象に固定されている。ベース３４に、固定ボルト３６を挿通させるための複数の挿通孔３７が設けられている。挿通孔３７は、ベース３４を貫通して形成されている。なお、挿通孔３７は少なくとも一つがあればよい。
固定ボルト３６の頭部が、ベース３４の上面に受けられている。固定ボルト３６の雄ねじが、挿通孔３７を挿通し、機械本体３の上面に係止されている。例えば、固定ボルト３６の雄ねじが、機械本体３に設けられた雌ねじにねじ嵌合している。
【００３３】
図６（ａ）は、第２の部材２２の正面図であり、図６（ｂ）は、第２の部材２２の側面図であり、図６（ｃ）は、図６（ｂ）のVIc-VIc 断面の断面図であり、図６（ｄ）は、図６（ｃ）の後述するシール収容溝５０の拡大図である。図６（ａ）と図６（ｂ）を参照して、第２の部材２２は、主体部４１を有している。主体部４１は、有底の筒形状をなしており、第１の密封空間２４の一部を区画している。主体部４１は、外周壁４２と、この外周壁４２により取り囲まれた端壁４３とを有している。外周壁４２は、所定の軸線Ｃ１を中心とした円筒形状の一部をなしている。
【００３４】
図６（ａ）と図６（ｃ）を参照して、所定の軸線Ｃ１の軸方向に関する主体部４１の一端は、端壁４３により塞がれている。所定の軸線Ｃ１の軸方向に関する主体部４１の他端に、第２の環状歯列２８が形成されている。
図２と図６（ｂ）を参照して、第２の部材２２が、信号表示灯２の端部２０１（本実施形態では、ポール１１の端部が相当する。）を嵌合する嵌合筒４４を含んでいる。嵌合筒４４は、第３の密封空間としての通路４５を区画している。第３の密封空間としての通路４５は、第１の密封空間２４と連通している。主体部４１と嵌合筒４４とは、単一材料としての合成樹脂材料により一体に形成されている。主体部４１と第２の環状歯列２８とは、単一材料としての合成樹脂材料により一体に形成されている。
【００３５】
図３を参照して、締結部材としてのボルト２５は、第２の部材２２に形成された挿通孔４７を通り、第１の部材２１に形成されたねじ孔４８の雌ねじにねじ嵌合している。挿通孔４７は、環状シール２３の周方向に沿って湾曲して延びている。ボルト２５と挿通孔４７とねじ孔４８とは、環状シール２３の周方向に関して複数箇所に配置されている。なお、ねじ孔４８は、第１の部材２１に固定された雌ねじ部材としてのナットに形成されてもよい。また、挿通孔４７が第１の部材２１に形成され、ねじ孔４８が第２の部材２２に配置されていてもよい。
【００３６】
図７は、図２のVII 部分の拡大図である。図３と図７を参照して、環状シール２３は、例えば、弾性部材により形成され、具体的にはゴム製のＯリングである。環状シール２３は、弾性圧縮変形した状態で、第１の部材２１と第２の部材２２の間に介在している。
図２と図４を参照して、第１の密封空間２４は、所定の軸線Ｃ１の軸方向に関して、第１の部材２１の端壁３３の内側に区画されるとともに、第２の部材２２の端壁４３の内側に区画されている。また、第１の密封空間２４は、環状シール２３の径方向の内方に区画されている。
【００３７】
第１の密封空間２４は、ベース３４の第２の密封空間としての通路３５に連通し、嵌合筒４４の第３の密封空間としての通路４５に連通している。さらに、ベース３４の第２の密封空間としての通路３５は、機械本体３の内部（第４の密封空間に相当する。）に連通している。嵌合筒４４の第３の密封空間としての通路４５は、信号表示灯２の内部（第５の密封空間に相当する。）に連通している。電線１２は、嵌合筒４４の通路３５、第１の密封空間２４、およびベース３４の通路３５を通っており、上述した第１〜第５の密封空間の内部に配置されている。
【００３８】
図６（ｂ）と図７を参照して、第２の部材２２に、環状シール２３を収容する環状のシール収容溝５０が形成されている。この場合には、下記点で好ましい。すなわち、環状シール２３の密封性、耐久性が向上するので、長期にわたって第１の部材２１および第２の部材２２の間を確実に封止できる。その結果、角度固定装置４の耐久性をより一層向上することができる。
【００３９】
図６（ｄ）と図７を参照して、シール収容溝５０は、一対の側壁５１，５２と、一対の側壁５１，５２を互いに接続する底面５３とを有している。一対の側壁５１，５２は、環状シール２３の径方向に互いに対向している。
第１の部材２１は、シール収容溝５０の入口５０１に嵌合する環状の第１の嵌合突起５４を含んでいる。この場合には、下記点で好ましい。すなわち、第１の部材２１および第２の部材２２の間をより一層確実に封止できる。また、シール収容溝５０および第１の嵌合突起５４の嵌合部によって、第１の部材２１および第２の部材２２の一方から他方への径方向荷重（本実施形態では、第２の部材２２に取り付けられた信号表示灯２の重量。）を受けることができるので、第１および第２の環状歯列２７，２８にかかる荷重を軽減できる。従って、角度固定装置４の耐久性をより一層向上することができる。
【００４０】
この効果を得るには、第１の嵌合突起５４が、シール収容溝５０の入口５０１に入り、シール収容溝５０の一対の側壁５１，５２のうちの少なくとも一方の少なくとも一部に接触できるようになっていればよい。
図３と図７を参照して、第１の部材２１は、当接面５８を有している。第２の部材２２は、当接面５９を有している。これらの当接面５８，５９は、所定の軸線Ｃ１の軸方向に互いに対向して互いに当接している。この状態で、環状シール２３は、シール収容溝５０の底面５３と、第１の嵌合突起５４の突出端の端面との間に介在し、弾性圧縮変形し、さらに、シール収容溝５０の両方の側壁５１，５２にともに接している。
【００４１】
図６（ｂ）と図７を参照して、第２の部材２２は、第１の嵌合突起５４の内周５６に嵌合する環状の第２の嵌合突起６１を含んでいる。第２の嵌合突起６１の外周６２によって、シール収容溝５０の一部としての側壁５２が区画されている。この場合には、下記の点で好ましい。すなわち、第１の部材２１および第２の部材２２の間を、より一層確実に封止できる。また、シール収容溝５０および第１の嵌合突起５４の嵌合部、並びに第１の嵌合突起５４および第２の嵌合突起６１の嵌合部によって、径方向荷重を受けることができるので、角度固定装置４全体としてより一層大きな径方向荷重を受けることができる。
【００４２】
例えば、所定の軸線Ｃ１の上方（または下方）にある第１の嵌合突起５４の内周５６と第２の嵌合突起６１の外周６２との嵌合部が、上述の径方向荷重を受ける。これとともに、所定の軸線Ｃ１の下方（または上方）にあるシール収容溝５０の側壁５１と第１の嵌合突起５４の外周５５との嵌合部が、上述の径方向荷重を受ける。
また、第２の嵌合突起６１に、第２の環状歯列２８が形成されている。この場合には、下記の点で好ましい。すなわち、角度固定装置４を小型化できる。また、所定の軸線Ｃ１の周りに過大なトルクが作用したときに、第２の環状歯列２８の径方向の外方への第２の環状歯列２８の変形が第１の嵌合突起５４により抑制される。その結果、第２の環状歯列２８の破損を防止できる。
【００４３】
図５（ａ）と図７を参照して、第１の部材２１は、第２の嵌合突起６１の内周６３に嵌合する環状の第３の嵌合突起６５を含んでいる。第１の嵌合突起５４と第３の嵌合突起６５との間に、環状の嵌合溝６６が区画されている。嵌合溝６６は、第２の嵌合突起６１と嵌合している。この場合には、下記の点で好ましい。すなわち、より一層大きな径方向荷重を受けることができる。また、所定の軸線Ｃ１の周りに過大なトルクが作用したときに、第２の環状歯列２８の径方向に関する内方への第２の環状歯列２８の変形が第３の嵌合突起６５により抑制される。その結果、第２の環状歯列２８の破損を防止できる。
【００４４】
また、嵌合溝６６内に、第１の環状歯列２７が形成されている。この場合には、下記の点で好ましい。すなわち、角度固定装置４を小型化できる。また、所定の軸線Ｃ１の周りに過大なトルクが作用したときに、第１の環状歯列２７の径方向の外方への第１の環状歯列２７の変形が第３の嵌合突起６５により抑制される。その結果、第１の環状歯列２７の破損を防止できる。
【００４５】
図２を参照して、本実施形態の角度固定装置４を用いて信号表示灯２の取付角度Ａ０を固定可能な信号表示灯ユニット１では、以下のようにするのが好ましい。すなわち、第１の部材２１が、取付対象に固定されるベース３４を含んでいる。第２の部材２２が、信号表示灯２の端部２０１を嵌合する嵌合筒４４を含んでいる。この場合には、位置調整可能で高い耐久性を有する信号表示灯ユニット１を実現できる。また、ベース３４および嵌合筒４４を用いることで、信号表示灯２を取付対象に容易に取り付けることができる。
【００４６】
なお、この効果は、図示しないが、第２の部材がベースを含み、且つ第１の部材が嵌合筒を含む場合にも得ることができる。
また、本実施形態では、嵌合筒４４の底部４４１に、信号表示灯２を取り付ける取付ボルト６８が係止されている。第１の部材２１は、取付ボルト６８の抜けを防止する抜け止め部６９を含んでいる。抜け止め部６９は、取付ボルト６８の抜け方向Ｄ２に取付ボルト６８と対向している。抜け止め部６９を有する場合には、取付ボルト６８の脱落を防止できるので、嵌合筒４４からの信号表示灯２の脱落を防止できる。
【００４７】
なお、抜け止め部６９の効果は、以下の場合にも得ることができる。すなわち、図示しないが、第２の部材がベースと抜け止め部とを含み、第１の部材が嵌合筒を含み、この嵌合筒の底部に、信号表示灯を取り付ける取付ボルトが係止されていてもよい。
図８（ａ）は、取付ボルト６８の抜けが生じていない正常状態における取付ボルト６８等の部分的な断面図であり、図８（ｂ）は、取付ボルト６８の抜けが阻止された状態における取付ボルト６８等の部分的な断面図である。図８（ａ）と図８（ｂ）を参照して、具体的には、抜け止め部６９は、第１の部材２１の主体部３１の外周壁３２に単一材料により一体に形成されている。抜け止め部６９が、第１の密封空間２４を区画するための必須の構成である主体部３１の一部により構成されるので、構造を簡素化できる。
【００４８】
図１５は、信号表示灯のポールの断面図である。図８（ａ）と図１５を参照して、取付ボルト６８は、信号表示灯２の端部２０１に係止されている。この端部２０１は、ポール１１の軸方向に関するポール１１の端部により形成されている。ポール１１の内側には、凸部１１１が形成されている。信号表示灯２の端部２０１において、凸部１１１には、ねじ孔１１２が形成されている。嵌合筒４４の底部４４１には、貫通孔４４２が形成されている。取付ボルト６８は、貫通孔４４２を挿通している。取付ボルト６８の雄ねじが、貫通孔４４２を通り、ポール１１のねじ孔１１２にねじ嵌合している。
【００４９】
図８（ａ）と図８（ｂ）を参照して、抜け止め部６９は、嵌合筒４４に係止された取付ボルト６８の頭部に、取付ボルト６８の軸線に沿う方向（この方向が上述の抜け方向Ｄ２に相当する。）に沿って対向している。取付ボルト６８が嵌合筒４４に正常に係止されたときに、取付ボルト６８の頭部は、抜け止め部６９と接触していてもよいし、抜け方向Ｄ２に関して取付ボルト６８の頭部と抜け止め部６９との間に所定量の隙間が開けられていてもよい。この隙間量は、取付ボルト６８が抜け止め部６９に当接した状態で、取付ボルト６８が嵌合筒４４およびねじ孔１１２に係止された状態を維持できるように設定されている。また、抜け止め部６９が、所定の軸線Ｃ１を中心とする円形をなす場合には、信号表示灯２の取付角度Ａ０が異なっても、取付ボルト６８の抜けを確実に防止できる。
【００５０】
図９（ａ）は、信号表示灯ユニット１の取付に際しての第１の工程での第２の部材２２、信号表示灯２等の正面図であり、図９（ｂ）は、取付の第２の工程での第１の部材２１、第２の部材２２、環状シール２３等の正面図であり、図９（ｃ）は、取付の第３の工程での角度固定装置４等の正面図である。信号表示灯ユニット１を、例えば、以下の順序で組み立てて、取付対象に取り付けることができる。
【００５１】
図９（ａ）と図９（ｂ）を参照して、先ず、信号表示灯２と角度固定装置４の第２の部材２２とを互いに固定する。具体的には、信号表示灯２の端部２０１を第２の部材２２の嵌合筒４４に嵌合し、取付ボルト６８を用いて固定する。このとき、第１の部材２１と第２の部材２２とは互いに組付けられていないので、取付ボルト６８用の貫通孔４４２が広く解放されており、取付ボルト６８を取り付け易い。
【００５２】
また、環状シール２３を第２の部材２２のシール収容溝５０に取り付ける。なお、環状シール２３の取付は、信号表示灯２を嵌合筒４４に取り付ける作業よりも先でもよい。
図９（ｂ）を参照して、次に、第１の部材２１と第２の部材２２とを互いに組み付ける。このとき、信号表示灯２の取付角度Ａ０を所望の値に調節する。例えば、信号表示灯２の取付角度Ａ０が９０度になるように（図１（ａ）参照）、第１の環状歯列２７と第２の環状歯列２８とを互いに噛み合わせる。
【００５３】
図９（ｂ）と図９（ｃ）を参照し、ボルト２５を用いて、第１の部材２１と第２の部材２２とを締結する。これにより、信号表示灯ユニット１が完成する。
図９（ｃ）を参照して、次に、信号表示灯ユニット１を取付対象としての機械本体３に固定ボルト３６を用いて固定する。このとき、固定作業が容易なように、以下のように構成するのが好ましい。
【００５４】
図１０は、角度固定装置４の平面図である。図１（ａ）と図９（ｃ）と図１０を参照して、ベース３４は、当該ベース３４を取付対象に固定する固定部材としての固定ボルト３６を挿通させるための挿通孔３７を有している。取付角度Ａ０が所定の範囲Ａ２内にあるときに、挿通孔３７の軸線Ｃ３の延長線Ｃ４が、第１の部材２１および第２の部材２２と干渉しないようにされている。この場合には、第１の部材２１および第２の部材２２を互いに組み付けた状態で、ベース３４を取付対象に取り付けることができる。従って、信号表示灯ユニット１を取付対象に固定するときに、第１の部材２１および第２の部材２２を一旦分解する必要がないので、固定作業に手間が掛からない。
【００５５】
例えば、取付角度Ａ０の上述の所定の範囲Ａ２は、取付角度Ａ０の値Ａ２１以上且つ値Ａ２２（Ａ２２≧Ａ２１）以下の範囲であり、値９０度を含んでいる。取付角度Ａ０が９０度となるように第１の部材２１および第２の部材２２が互いに取り付けられたときに、第１の部材２１の主体部３１と、ベース３４の挿通孔３７とは、この挿通孔３７の軸線に沿って見たときに、互いに重ならない。また、第２の部材２２と、ベース３４の挿通孔３７とは、この挿通孔３７の軸線に沿って見たときに、互いに重ならない。従って、ベース３４を固定し易い。その後、信号表示灯２の取付角度Ａ０を所望の値に調整する。
【００５６】
図１１は、角度調整可能な状態での角度固定装置４の正面図である。図１（ａ）と図１１を参照して、信号表示灯２の取付角度Ａ０は、以下のようにして調整することができる。すなわち、締結部材としてのボルト２５が緩められた状態、または締結が解除された状態において、第１の部材２１と第２の部材２２とを、結合方向Ｄ１とは逆向き（互いに遠ざかる向き）に所定距離Ｌ５で相対移動させる。これにより、第１の環状歯列２７と第２の環状歯列２８との噛み合いが外れる。第１の部材２１および第２の部材２２が、所定の軸線Ｃ１の周りに互いに相対回転できるようになる。この状態で、信号表示灯２の取付角度Ａ０を調整することができる。取付角度Ａ０は、第１および第２の環状歯列２７，２８が互いに噛み合うことができる角度に、段階的に設定される。
【００５７】
調整された取付角度Ａ０を保持しつつ、第１の部材２１と第２の部材２２とを、結合方向Ｄ１に互いに接近させる。第１の環状歯列２７と第２の環状歯列２８とを互いに噛み合わせる。第１の部材２１および第２の部材２２を、ボルト２５により互いに固定する。これにより、調整された取付角度Ａ０を固定することができる。
図１１と図７を参照して、以下のように構成することが、調整し易くできて好ましい。すなわち、ボルト２５の締結状態において、所定の軸線Ｃ１の軸方向に関して、第１の嵌合突起５４の外周５５とシール収容溝５０の側壁５１との嵌合長Ｌ１、第１の嵌合突起５４の内周５６とシール収容溝５０の側壁５２との嵌合長Ｌ２（第１の嵌合突起５４の内周５６と第２の嵌合突起６１の外周６２との嵌合長に相当する。）、および第２の嵌合突起６１の内周６３と第３の嵌合突起６５との嵌合長Ｌ３のうちの最大の嵌合長は、第１の環状歯列２７と第２の環状歯列２８の噛み合い高さＬ４よりも大きくされている。本実施形態では、嵌合長Ｌ２，Ｌ３は互いに等しくされており、嵌合長Ｌ１よりも大きくされている。従って、嵌合長Ｌ２，Ｌ３が、噛み合い高さＬ４よりも大きくされている（Ｌ２＞Ｌ４，Ｌ３＞Ｌ４）
図１２は、角度調整可能な状態での角度固定装置４の環状シール２３、第１の環状歯列２７、第２の環状歯列２８等の断面図である。図７と図１２を参照して、上述のように、締結を緩めた状態での第１の部材２１と第２の部材２２との相対移動量である上述の所定距離Ｌ５は、上述の最大の嵌合長Ｌ２，Ｌ３よりも小さく（Ｌ５＜Ｌ２，Ｌ５＜Ｌ３）、且つ噛み合い高さＬ４を超えて大きく（Ｌ５＞Ｌ４）されている。これにより、噛み合いを解除し、且つ嵌合を維持することができる。このように、嵌合が維持されているので、第１の部材２１と第２の部材２２とががたつくことなく、所定の軸線Ｃ１の周りの第１の部材２１と第２の部材２２との相対回転が案内される。これとともに、角度固定装置４が信号表示灯２の重量を受けることができるので、取付角度Ａ０を調整し易い。
【００５８】
図２を参照して、本実施形態では、第１の環状歯列２７と第２の環状歯列２８とが、第１の密封空間２４内に配置されているので、第１の部材２１および第２の部材２２における第１の密封空間２４の外側にある部分に配置されずに済む。その結果、この外側にある部分を、所定の軸線Ｃ１の軸方向に関して薄くできる。
これとともに、第１の部材２１を第２の部材２２から取り外した状態で、ポール１１を固定するための取付ボルト６８を嵌合筒４４に取り付けるようにしている。取付ボルト６８の取付には、第１の部材２１を取り外すことにより得られる広い空間を利用するので、作業が容易になる。また、取付ボルト６８を取り付けるための空間を確保するために、第２の部材２２の形状を規制せずに済む。従って、第２の部材２２の形状の自由度が高まる。従って、角度固定装置４のデザインの自由度が高くなる。
【００５９】
また、本実施形態について、以下のような変形例を考えることができる。以下の説明では、上述の実施形態と異なる点を中心に説明する。なお、他の構成については、上述の実施形態と同様である。
例えば、図１３（ａ）は、照明装置ユニット１００の側面図であり、図１３（ｂ）は、照明装置ユニット１００の正面図である。図１４は、照明装置ユニット１００の部分的な分解斜視図である。図１３（ａ）と図１３（ｂ）を参照して、照明装置ユニット１００は、被取付機器としての照明装置１０１と、この照明装置１０１を取付対象としての機械本体３の上面に角度調整可能に取り付ける２つの角度固定装置４Ａとを有している。照明装置１０１は、光を周囲に照射する。
【００６０】
角度固定装置４Ａは、図２に示す角度固定装置４とは、以下の点で異なり、他の構成については同じとされている。角度固定装置４Ａの構成のうちで、角度固定装置４の構成と同じ構成には、角度固定装置４の構成と同じ符合を付して説明を省略する。
照明装置ユニット１００は、角度固定装置４Ａを用いて照明装置１０１の取付角度Ａ１０を固定可能である。角度固定装置４Ａは、照明装置１０１の取付角度Ａ１０を、所定の軸線Ｃ１の周りに調整することができ、また、取付角度Ａ１０を固定することができる。取付角度Ａ１０は、例えば、取付対象の取付面の法線Ｈ２と、照明装置１０１からの光の照射方向Ｄ４とのなす角度である。
【００６１】
図１３（ｂ）と図１４を参照して、角度固定装置４Ａは、結合方向Ｄ１に互いに結合された第１の部材２１Ａおよび第２の部材２２Ａと、第１の部材２１Ａおよび第２の部材２２Ａ間に第１の密封空間２４Ａを区画する環状シール２３と、環状シール２３の径方向外方で第１の部材２１Ａおよび第２の部材２２Ａを締結する締結部材としての複数のボルト２５と、を備えている。結合方向Ｄ１は、所定の軸線Ｃ１とは平行な方向である。
【００６２】
本実施形態では、２つの角度固定装置４Ａは、その一部である第２の部材２２Ａを共有している。また、第２の部材２２Ａは、照明装置１０１の本体１０２を構成している。２つの角度固定装置４Ａは、互いに同じに構成されている。
なお、単一の角度固定装置４Ａと照明装置１０１とが、照明装置ユニットを構成してもよい。例えば、照明装置１０１の大きさ、質量等を考慮して、角度固定装置４Ａを片持ち状に用いてもよい。本実施形態では、照明装置１０１を両持ち状に支持する２つの角度固定装置４Ａがある場合に則して、一方の角度固定装置４Ａを中心に説明する。
【００６３】
具体的には、第１の部材２１Ａは、締結部材としてのボルト２５が挿通する複数の挿通孔４７を有している。第２の部材２２Ａは、締結部材としてのボルト２５とねじ嵌合する複数のねじ孔４８を有している。また、第２の部材２２Ａは、照明装置１０１の後述する本体１０２を構成している。
第１の密封空間２４Ａは、照明装置１０１の内部を含んでいる。第１の密封空間２４Ａは、両側の第１の部材２１Ａのベース３４の第２の密封空間としての通路３５を通じて、機械本体３の内部（第３の密封空間に相当する。）と連通している。
【００６４】
また、第１の部材２１Ａおよび第２の部材２２Ａにおいて所定の軸線Ｃ１の軸方向に互いに対向する部分については、第１の実施形態における第１の部分２１および第２の部分２２の対応する部分と同様に構成されている。
すなわち、第１の部材２１Ａは、第１の環状歯列２７を含んでいる。第２の部材２２Ａは、第１の環状歯列２７と噛み合う第２の環状歯列２８を含んでいる。第１の環状歯列２７および第２の環状歯列２８は、所定の軸線Ｃ１を中心とする環状に配列され、且つ所定の軸線Ｃ１を中心とする所要の相対回転位置で噛合可能である。
【００６５】
第１の環状歯列２７および第２の環状歯列２８は、第１の密封空間２４Ａ内に配置されている。これにより、第１および第２の環状歯列２７，２８が第１の密封空間２４Ａ内に保護されるので、使用時に両環状歯列２７，２８の劣化、破損を防止することができる。その結果、角度固定装置４Ａの耐久性を向上できる。また、特に第１および第２の環状歯列２７，２８が合成樹脂により形成された場合でも、外部の紫外線等の影響による合成樹脂の劣化が防止されるので、角度固定装置４Ａとして十分な耐久性を確保できる。
【００６６】
また、第２の部材２２Ａは、環状シール２３を収容する環状のシール収容溝５０を含んでいる。この場合には、下記点で好ましい。すなわち、環状シール２３の密封性、耐久性が向上するので、長期にわたって第１の部材２１Ａおよび第２の部材２２Ａの間を確実に封止できる。その結果、角度固定装置４Ａの耐久性をより一層向上することができる。
また、第１の部材２１Ａは、シール収容溝５０の入口に嵌合する環状の第１の嵌合突起５４を含んでいる。この場合には、下記点で好ましい。すなわち、第１の部材２１Ａおよび第２の部材２２Ａの間をより一層確実に封止できる。また、シール収容溝５０および第１の嵌合突起５４の嵌合部によって、第１の部材２１Ａおよび第２の部材２２Ａの一方から他方への径方向荷重を受けることができるので、第１および第２の環状歯列２７，２８にかかる荷重を軽減できる。従って、角度固定装置４Ａの耐久性をより一層向上することができる。
【００６７】
第２の部材２２Ａは、第１の嵌合突起５４の内周５６に嵌合する環状の第２の嵌合突起６１を含んでいる。第２の嵌合突起６１の外周６２によって、シール収容溝５０の一部が区画されている。この場合には、下記の点で好ましい。すなわち、第１の部材２１Ａおよび第２の部材２２Ａの間を、より一層確実に封止できる。また、シール収容溝５０および第１の嵌合突起５４の嵌合部、並びに第１の嵌合突起５４および第２の嵌合突起６１の嵌合部によって、径方向荷重を受けることができるので、角度固定装置４Ａ全体としてより一層大きな径方向荷重を受けることができる。
【００６８】
第２の嵌合突起６１に、第２の環状歯列２８が形成されている。この場合には、下記の点で好ましい。すなわち、角度固定装置４Ａを小型化できる。また、所定の軸線Ｃ１の周りに過大なトルクが作用したときに、径方向外方への第２の環状歯列２８の変形が第１の嵌合突起５４により抑制される。その結果、第２の環状歯列２８の破損を防止できる。
第１の部材２１Ａは、第２の嵌合突起６１の内周６３に嵌合する環状の第３の嵌合突起６５を含んでいる。第１の嵌合突起５４と第３の嵌合突起６５との間に、第２の嵌合突起６１と嵌合する環状の嵌合溝が区画されている。この場合には、下記の点で好ましい。すなわち、より一層大きな径方向荷重を受けることができる。また、所定の軸線Ｃ１の周りに過大なトルクが作用したときに、径方向内方への第２の環状歯列２８の変形が第３の嵌合突起６５により抑制される。その結果、第２の環状歯列２８の破損を防止できる。
【００６９】
照明装置１０１は、本体１０２と、この本体１０２内に収容された光源１０３とを有している。本体１０２の少なくとも一部は透光性を有している。本体１０２は、長尺の筒形状をなしている。本体１０２の中心軸線と、角度固定装置４Ａの上述の所定の軸線Ｃ１とは、互いに沿っている。光源１０３からの光は、本体１０２の中心軸線と直交する方向Ｄ４に向けて照射される。
【００７０】
上述の角度固定装置４Ａを用いて照明装置１０１の取付角度Ａ１０を固定可能な照明装置ユニット１００では、以下のようにするのが好ましい。すなわち、第２の部材２２Ａが、照明装置１０１の本体１０２である。第１の部材２２Ａが、取付対象に固定されるベース３４を含んでいる。この場合、位置調整可能で高い耐久性の照明装置ユニット１００を実現できる。また、第２の部材２２Ａが、照明装置１０１の本体１０２であるので、照明装置ユニット１００の構造を簡素化できる。
【００７１】
また、この効果と同様の効果を、以下の場合にも得ることができる。すなわち、第１の部材２１Ａが、照明装置１０１の本体１０２であり、第２の部材２２Ａが、取付対象に固定されるベース３４を含んでいてもよい。
図２を参照して、第１の実施形態の抜け止め部６９が、第１の部材２１とは別部材で形成されて、第１の部材２１に固定されてもよい。また、抜け止め部６９は、第１の部材２１にある場合と同様に、第２の部材２２に固定されてもよい。また、第１の実施形態において、信号表示灯２は、回転灯を有していてもよい。
【００７２】
また、第１の実施形態の信号表示灯ユニット１の組立の手順は、上述の手順に限定されない。例えば、取付対象に固定された第１の部材２１に、信号表示灯２が取り付けられた第２の部材２２を取り付け、このときに、取付角度Ａ０を所望の値に調節してもよい。
また、上述の各実施形態において、第２の環状歯列２８が、第２の嵌合突起６１以外の場所に形成される場合も考えられる。また、第１の嵌合突起５４、第２の嵌合突起６１、第３の嵌合突起６５の少なくとも一つが廃止される場合も考えられる。さらに、シール収容溝５０が廃止される場合も考えられる。
【００７３】
また、角度固定装置４，４Ａは、信号表示灯ユニット１および照明装置ユニット１００に限らず、この他、取付角度の調整が必要な被取付機器に適用することができる。
以上、本発明を具体的な態様により詳細に説明したが、この内容を理解した当業者は、その変更、改変および均等物を容易に考えられるであろう。従って、本発明はクレームの範囲とその均等の範囲とするべきである。
【図１】
0005448007.tif 000002
【図２】
0005448007.tif 000003
【図３】
0005448007.tif 000004
【図４】
0005448007.tif 000005
【図５】
0005448007.tif 000006
【図６】
0005448007.tif 000007
【図７】
0005448007.tif 000008
【図８】
0005448007.tif 000009
【図９】
0005448007.tif 000010
【図１０】
0005448007.tif 000011
【図１１】
0005448007.tif 000012
【図１２】
0005448007.tif 000013
【図１３】
0005448007.tif 000014
【図１４】
0005448007.tif 000015
【図１５】
0005448007.tif 000016